(57)【特許請求の範囲】
【請求項１】
液冷媒を移送するための容積型ポンプ機構の吐出管に唯一の立ち上がり管を介して所定の容積を有する容器の底部を連結するとともに、上記吐出管から上記立ち上がり管を経て上記容器内に入った液冷媒を加熱してその一部を蒸発させる加熱手段を設け、当該容積型ポンプ機構が駆動されて上記吐出管を経て液冷媒が吐出された時に、上記容器内に入った当該液冷媒を上記加熱手段により加熱し蒸発させてガス冷媒として、当該ガス冷媒を上記容器内の液冷媒の上部空間に充満させたことを特徴とする液冷媒ポンプ。
【請求項２】
上記容器を先端を閉とした所定長さのパイプによって構成したことを特徴とする請求項１記載の液冷媒ポンプ。
【請求項３】
上記液冷媒ポンプは、上記容積型ポンプ機構及びこれを駆動する電動機が収容された密閉容器を備え、上記密閉容器のまわりに上記パイプを密接させて巻装することによって上記パイプ内の液冷媒を上記容積型ポンプ機構及び電動機の熱によって加熱することを特徴とする請求項２記載の液冷媒ポンプ。
【発明の詳細な説明】
【０００１】
【産業上の利用分野】
本発明は液冷媒ポンプに関する。
【０００２】
【従来の技術及びその課題】
従来、液冷媒を移送するには一般にキヤンドモータポンプが用いられていたが、これはコストが高く、また、効率が悪いので、実用性に乏しいという問題があった。
【０００３】
これに対処するため、密閉型電動圧縮機を液冷媒の移送用ポンプとして用いることが特開平２−１７３３８４号公報によって提案された。
しかし、これは液冷媒が間欠的に吸入され、かつ、吐出されるので、吸入管及び吐出管内に大きな脈動が生じ、これに伴って吸入管及び吐出管が振動し、これに基づいて騒音が発生するという不具合があった。
【０００４】
【課題を解決するための手段】
本発明は上記課題を解決するために発明されたものであって、その要旨とするところは、液冷媒を移送するための容積型ポンプ機構の吐出管に唯一の立ち上がり管を介して所定の容積を有する容器の底部を連結するとともに、上記吐出管から上記立ち上がり管を経て上記容器内に入った液冷媒を加熱してその一部を蒸発させる加熱手段を設け、当該容積型ポンプ機構が駆動されて上記吐出管を経て液冷媒が吐出された時に、上記容器内に入った当該液冷媒を上記加熱手段により加熱し蒸発させてガス冷媒として、当該ガス冷媒を上記容器内の液冷媒の上部空間に充満させたことを特徴とする液冷媒ポンプにある。
【０００５】
他の特徴とするところは、上記容器を先端を閉とした所定長さのパイプによって構成したことにある。
【０００６】
更に他の特徴とするところは、上記液冷媒ポンプは、上記容積型ポンプ機構及びこれを駆動する電動機が収容された密閉容器を備え、上記密閉容器のまわりに上記パイプを密接させて巻装することによって上記パイプ内の液冷媒を上記容積型ポンプ機構及び電動機の熱によって加熱することにある。
【０００７】
【作用】
本発明においては、上記構成を具えているため、容積型ポンプ機構が駆動されて吐出管を経て液冷媒が吐出された時に、吐出管から立ち上がり管を経て容器内に入った液冷媒は加熱手段により加熱されてその一部が蒸発し、蒸発したガス冷媒は容器内の液冷媒の上部空間に充満する。そして、この容器内のガス冷媒は吐出管内で発生した脈動に伴う圧力変動に応じてその容積を増減することにより上記脈動を吸収する。
【０００８】
【実施例】
本発明の１実施例が図１に示されている。
密閉容器１の内部には電動機２と、この下方に電動機２によって駆動される容積型ポンプ機構３が収容されている。そして、密閉容器１の頂部には電極端子２６が取り付けられている。
電動機２のステータ２ａは密閉容器１に固定され、ロータ２ｂはクランクシヤフト４の上部に固定されている。
【０００９】
容積型ポンプ機構３はクランクシヤフト４と、そのクランクピン５に嵌合されたローリングピストン６と、密閉容器１に固定されたシリンダブロック７と、このシリンダブロック７の上端開口を閉塞する上部軸受８と、シリンダブロック７の下端開口を閉塞する下部軸受９と、シリンダブロック７に穿設されたスロット２７内に出没自在に嵌挿されたブレード１０と、このブレード１０の背後に配設されてこれを押推する押えばね１１等からなる。
【００１０】
シリンダブロック７と上部軸受８と下部軸受９とによって囲まれるシリンダ室１２内にローリングピストン６を収容し、このローリングピストン６の外周面にブレード１０の先端を当接せしめることによってこのブレード１０の片側に吸入室１３が、他側に圧縮室１４が限界されている。
クランクシヤフト４は上部軸受８及び下部軸受９によってそれぞれ軸承されている。
【００１１】
吸入管２０は密閉容器１を封密的に貫通して吸入口２１に直結され、吐出管２２は密閉容器１を封密的に貫通して吐出口２３に直結されている。吐出管２２は所定の容積Ｖを有する樽状の容器３０に立上り管３１を介して連通連結されている。そして、この容器３０の外周にはシースヒータ３２が巻回されている。
【００１２】
クランクシヤフト４が電動機２によって回転駆動されると、クランクピン５に嵌合されたローリングピストン６はシリンダ室１２内で矢印方向に偏心回転運動する。これに伴って液冷媒が吸入管２０、吸入口２１を経て吸入室１３内に吸入され、圧縮室１４内の液冷媒が吐出口２３、吐出管２２を経て吐出される。
【００１３】
これと同時に、密閉容器１内底部に貯溜された潤滑油２５がクランクシヤフト４内下部に組み込まれた潤滑油ポンプ１８によって吸引され、クランクシヤフト４に穿設された給油通路１９を経てクランクシヤフト４  と上部軸受８及び下部軸受９との摺動面、クランクピン５とローリングピストン６との摺動面、ローリングピストン６とシリンダブロック７との摺動面等に給油される。
【００１４】
吐出管２２内を流れる液冷媒の一部は立上り管３１を経て容器３０内に入り、ここでシースヒータ３２により加熱されて蒸発することによりガス冷媒となって容器３０内に充満する。
一方、ローリングピストン６の１回転毎に液冷媒が吐出されるので、吐出管２２を流れる液冷媒には脈動が発生するが、この脈動に伴う圧力変動は容器３０内のガス冷媒の容積変化によって緩和又は吸収される。
【００１５】
図２には本発明の第２の実施例が示されている。
この第２の実施例においては、先端を閉塞した所定長さのパイプ３３をコイル状に巻回することによって所定容積Ｖを有する容器が構成されている。
なお、他の構成及び作用は図１に示す第１の実施例と同様である。
【００１６】
図３には本発明の第３の実施例が示されている。
この第３の実施例においては、先端が閉塞された所定長さのパイプ３４を密閉容器１のまわりに密接して巻回することによって所定容積Ｖを有する容器が構成されている。なお、他の構成は図１に示す第１の実施例と同様である。
【００１７】
このようにすれば、パイプ３４内のガス冷媒は密閉容器１を介してこの中に内蔵された電動機２、容積型ポンプ機構３から発熱する熱によって加熱できるので、第１及び第２の実施例のシースヒータ３２を省略できる。
【００１８】
上記各実施例において、吐出管２２に各１個の容器を連通連結したが、２個以上の容器を連通連結することができる。
【００１９】
【発明の効果】
本発明においては、容積型ポンプ機構が駆動されて吐出管を経て液冷媒が吐出された時に、吐出管から立ち上がり管を経て容器内に入った液冷媒は加熱手段により加熱されてその一部が蒸発し、このガス冷媒は容器内の液冷媒の上部空間に充満し、吐出管内を流れる液冷媒の脈動に伴う圧力変動は容器内のガス冷媒の容積変化によって緩和又は吸収できるので、吐出管の振動及びこれに基づく騒音を低減できる。
そして、単純な部品で構成しうるので、構造が簡単、かつ、安価で、しかも、信頼性が高い脈動緩和機構を得ることができる。
【図面の簡単な説明】
【図１】本発明の第１の実施例を示し（Ａ）  は縦断面図、（Ｂ）  は（Ａ）  のＡ−Ａ矢に沿う断面図である。
【図２】本発明の第２の実施例を部分的に破断して示す縦断面図である。
【図３】本発明の第３の実施例を部分的に破断して示す縦断面図である。
【符号の説明】
１    密閉容器
２  電動機
３  容積型ポンプ機構
２０  吸入管
２２    吐出管
３０    容器
３２    加熱手段
【図１】
0003592732.tif 000002
【図２】
0003592732.tif 000003
【図３】
0003592732.tif 000004